(57)【要約】【課題】  飛灰中の異物や固形物を回収することにより再資源化設備の機器の故障防止や設備の延命化とともに操業効率の向上をはかりたい。【解決手段】  焼却飛灰を空気輸送管にて吸引すると共に、前記空気輸送管の中途に異物除去手段を設けて異物を除去する、焼却飛灰からの異物除去装置において、前記異物除去装置は、水平状に設けた輸送物の入口管と出口管との間を輸送物が空気と共に直線的に流出入する第１の流路と、前記第１の流路に対して垂直状に下方に向けて第２の流路を設け、前記第１の流路と第２の流路との合流位置に所定の開口径を有する金網を儲け、前記金網を通過できない異物及び重量的に通過不能な異物は前記第２の流路を介して排出シュートから排出するようにした。【選択図】図１
2005127619.tif 000002
【特許請求の範囲】
【請求項１】
焼却飛灰を空気輸送管にて吸引すると共に、前記空気輸送管の中途に異物除去手段を設けて異物を除去する、焼却飛灰からの異物除去装置において、前記異物除去装置は、水平状に設けた輸送物の入口管と出口管との間を輸送物が空気と共に直線的に流出入する第１の流路と、前記第１の流路に対して垂直状に下方に向けて第２の流路を設け、前記第１の流路と第２の流路との合流位置に所定の開口径を有する金網を儲け、前記金網を通過できない異物及び重量的に通過不能な異物は前記第２の流路を介して排出シュートから排出することを特徴とする焼却飛灰からの異物除去装置。
【請求項２】
請求項１記載の焼却飛灰からの異物除去装置において、前記金網は上方を第１の流路と第２の流路との合流点の中央直径位置であって流路と直角状に設けると共に、下方を前記上方から流下方向に前進した位置に設けて挿脱自在として傾斜するよう構成したことを特徴とする焼却飛灰からの異物除去装置。
【請求項３】
請求項１記載の焼却飛灰からの異物除去装置において、前記入口管の中央位置にはその中央に分散用突起を設けた仕切板を設け、金網通過時の効率アップと磨耗軽減対策とを施したことを特徴とする焼却飛灰からの異物除去装置。
【発明の詳細な説明】
【技術分野】
【０００１】
本発明は、焼却場から排出される焼却飛灰を資源回収のために運搬する際使用する焼却飛灰からの異物除去装置に関する。
【背景技術】
【０００２】
都市ごみ焼却設備からは膨大な量の焼却残渣なかんずく飛灰が発生し、その処分に苦慮している。そして従来これらの飛灰は固化処理や薬剤処理あるいは溶融処理等を施して埋め立て処分がなされていた。
【０００３】
しかし、埋め立て処理にも場所的な限界があるため、これらの再資源化が検討され、水洗処理して普通セメントの原料として、あるいはそのまま原料化するエコセメントとしての再利用が実現されている。なお、本発明に対する特許文献等は特に見当たらない。
【発明の開示】
【発明が解決しようとする課題】
【０００４】
上記した再利用に際して問題になるのは、飛灰中に混在する固形物等の異物である。即ち、水洗設備ではこれらの異物が定量供給機の動作を妨げるばかりか、溶解槽に沈殿し、あるいはパイプやポンプの詰まり等を生じさせ、一連の作業にとって障害となっていた。
【０００５】
本発明は上記課題を解決するためになされたものであり、飛灰中の異物や固形物を回収することにより再資源化設備の機器の故障防止や設備の延命化とともに、操業効率の向上にも寄与し処理能力を向上させるようにした異物除去装置を提供することを目的としている。
【課題を解決するための手段】
【０００６】
本発明の請求項１に係る焼却飛灰からの異物除去装置は、焼却飛灰を空気輸送管にて吸引すると共に、前記空気輸送管の中途に異物除去手段を設けて異物を除去する、焼却飛灰からの異物除去装置において、前記異物除去装置は、水平状に設けた輸送物の入口管と出口管との間を輸送物が空気と共に直線的に流出入する第１の流路と、前記第１の流路に対して垂直状に下方に向けて第２の流路を設け、前記第１の流路と第２の流路との合流位置に所定の開口径を有する金網を儲け、前記金網を通過できない異物及び重量的に通過不能な異物は前記第２の流路を介して排出シュートから排出するようにした。
【０００７】
本発明の請求項２に係る焼却飛灰からの異物除去装置は、請求項１において、前記金網は上方を第１の流路と第２の流路との合流点の中央直径位置であって流路と直角状に設けると共に、下方を前記上方から流下方向に前進した位置に設けて挿脱自在として傾斜するよう構成した。
【０００８】
本発明の請求項３に係る焼却飛灰からの異物除去装置は、請求項１において、前記入口管の中央位置にはその中央に分散用突起を設けた仕切板を設け、金網通過時の効率アップと磨耗軽減対策とを施した。
【発明の効果】
【０００９】
以上説明したように本発明によれば、飛灰中の異物や固形物を回収することにより再資源化設備の機器の故障防止や設備の延命化とともに、操業効率の向上にも寄与し処理能力の向上にもつながるものである。
【発明を実施するための最良の形態】
【００１０】
図２は本発明による焼却飛灰からの異物除去装置の使用態様を説明する図であり、説明の便宜上、図２から説明する。先ず、焼却設備から排出された飛灰は、当該設備の所定個所に集積されている。この集積個所にこれを回収するためのバキューム車100が到着した状態を示している。
【００１１】
２００が集積個所であり、内部にあるホッパ２０１等からバキューム用装置２０２を経由して排出される飛灰を、バキューム車１００の吸引によりバキューム用装置後方より流入される空気と共に、バキューム配管２０３を通過してバキューム車１００に積み込むに際して、その間の所定位置に、飛灰中に混在する固形物等の異物が集められるのに充分の空間２０４を確保する。そして前記空間は異物の取り出しの容易な個所であればいずれの場所であってもよい。
【００１２】
焼却場からセメント工場への飛灰搬送はバキューム車とジェットパック車の２車種にて実施される。そしてバキューム車は焼却場より配管にて吸引して積み込み、その中途位置にて異物を除去（除去装置は後述する）し、圧送にてダンピングにより排出する。又、ジェットパック車はタンク上より自然落下にて積み込み、圧送にてダンピングせずに排出する。なお、積み込んだ飛灰の空気輸送方式は同一の配管にて兼用できる。
【００１３】
図１は異物除去装置を示す実施例の構成図であり、上側に示す（ａ）が平面図断面を、又、下側に示す（ｂ）が立面図断面を示す。図１において、本体は、１の本体上部ケース、２の本体下部ケースで構成されている。３は本体上部フランジ、４は本体下部フランジであり、それらは閉止フランジ５、排出フランジ６によって対応するワンタッチ点検口部７及び排出シュート８に接続されている。１の本体上部ケースの管径はバキューム配管より大きくし飛灰流入時の流速を遅くし、かつ、流入口の断面より網目の目開きの面積を大きく設定する構造となっている。
【００１４】
本体上部ケース１にはその側面に入口管９が設けられ、同じく対向面には出口管10が設けられ、入口管９と出口管10とは水平状の流路を形成している。11は金網ガイドであって上部は本体上部ケースの直径位置に流路と直角方向に設けられ、下部は流路に沿った下流側に設けて、上下位置が上方を基点に下方が流路方向にずれた傾斜位置となっている。
【００１５】
したがって、金網ガイド11に上方から挿入される金網12は挿脱自在に傾斜して設けられている。13は仕切板であって入口管９の中心位置の直径の部分に流路に沿って設けられ、流路を分割する機能を有している。そして仕切板の流路方向端は耐磨耗溶接14にて固定される。又15はソケットであり、この部分から高圧空気が流入する。
【００１６】
次に動作を説明する。先ず、バキューム車の吸引によりバキューム用装置後方より空気が流入し内部が負圧になる。これにより、バキューム用装置から排出された飛灰が一体となって入口Ａから出口Ｂ方向に吸引されて流入する。ここで流入した飛灰は仕切板１３にて左右に分割されつつ金網１２に突進し、所定の粒径以下のものは金網１２を通過して出口Ｂから排出されて、バキューム車に積み込まれる。
【００１７】
それと同時に所定以上の粒径の異物は金網を通過せずに流路Ｆに従って排出シュート８上部の集積部に堆積する。したがって排出される異物としては金網に衝突して落下するものと、最初からその重量により落下せざるをえないものとの２種があることになる。堆積した異物や固形物に付着した微細粉の飛灰や集積部に微細粉の飛灰が堆積した場合は、ソケット１５から高圧空気を送り、撹拌させ微細粉の飛灰を巻き上げ金網１２を通過させる。飛灰の流れとしては輸送物の流れＤ、分離品輸送物の流れＥ及び異物固形物の流れＦとがある。
【００１８】
飛灰流入による衝突部の磨耗対策として、仕切板１３の先端及び金網ガイド１１には耐磨耗溶接１４を施している。また、金網１２は金網ガイド１１に上部より差し込む構造となっており、磨耗した場合は、１の本体上部ケース上の閉止フランジ５を取り外すことにより容易に交換が可能である。したがって、金網は取り外し可能である為、目開きも任意に設定可能である。尚、金網１２が目詰りした場合は、１の本体上部ケース上の閉止フランジ５に対応しているワンタッチ点検口７より清掃可能な構造となっている。
【００１９】
上記説明では、バキューム車にて焼却場で積み込み時に異物を除去する旨の説明をしたが、これに限定されるものではなく、セメント工場に到着後の排出時に行なってもよいことは勿論である。
【産業上の利用可能性】
【００２０】
飛灰中の異物を回収して再資源化しようとするものであり、リサイクルは勿論のこと、最近特に問題になっているゴミの処分が解決でき、地域社会にとって極めて有効に利用がなされ、公害問題が解消できる。
【図面の簡単な説明】
【００２１】
【図１】異物除去装置の構成例図
【図２】本装置の使用方法を説明する図
【符号の説明】
【００２２】
１  本体上部ケース
２  本体下部ケース
３  本体上部フランジ
４  本体下部フランジ
５  閉止フランジ
６  排出フランジ
７  ワンタッチ点検口部
８  排出シュート
９  入口管
10  出口管
11  金網ガイド
12  金網
13  仕切板
14  耐磨耗溶接
15  ソケット
【図１】
2005127619.tif 000003
【図２】
2005127619.tif 000004